(57)【要約】      （修正有）【課題】店舗などにおいて利用客に一時的に貸し出されるカートの盗難を未然に防ぐことを可能とする技術を提供する。【解決手段】防犯装置１０は、カートに取り付けられており、当該カートの盗難を防止するための処理部を備えている。防犯装置１０は、基準面に対するカートの角度を検出する角度検出部１１０と、角度検出部１１０が検出した角度が所定の基準を満たすときに警告処理を行う警告部１２０と、を有し、カートに対する盗難の兆候が伺える動作を検出して警告処理を行う。【選択図】図１
2018041196.tif 000002
【特許請求の範囲】
【請求項１】
カートに取り付けられる防犯装置であって、
基準面に対する前記カートの角度を検出する角度検出手段と、
前記角度検出手段が検出した角度が所定の基準を満たすときに警告処理を行う警告手段と、を有する防犯装置。
【請求項２】
前記警告手段は、警告音の出力、または、従業員用の端末に対する通知の出力の少なくともいずれか一方の処理を、前記警告処理として行う、
請求項１に記載の防犯装置。
【請求項３】
前記警告手段は、前記角度検出手段が、前記カートの角度が所定の基準を満たす状態を所定時間以上継続して検出した場合に、前記警告処理を行う、
請求項１または２に記載の防犯装置。
【請求項４】
前記防犯装置は、前記カートの位置情報を取得する位置情報取得手段を更に有し、
前記警告手段は、前記角度検出手段が検出した角度が所定の基準を満たし、かつ、前記位置情報取得手段が取得した位置情報が予め定められた処理対象エリアに対応する場合に、前記警告処理を行う、
請求項１から３のいずれか１項に記載の防犯装置。
【請求項５】
前記処理対象エリアは店舗の駐車場を含む、
請求項４に記載の防犯装置。
【請求項６】
請求項１から５のいずれか１項に記載の防犯装置を有するカート。
【請求項７】
カートに取り付けられる防犯装置を用いて実行される当該カートの盗難防止方法であって、
前記防犯装置が、
基準面に対する前記カートの角度を検出し、
前記検出された角度が所定の基準を満たすときに警告処理を行う、
ことを含むカートの盗難防止方法。
【請求項８】
カートに取り付けられる防犯装置に当該カートの盗難防止方法を実行させるためのプログラムであって、
前記防犯装置を、
基準面に対する前記カートの角度を検出する角度検出手段、及び、
前記角度検出手段が検出した角度が所定の基準を満たすときに警告処理を行う警告手段、
として機能させるためのプログラム。
【発明の詳細な説明】
【技術分野】
【０００１】
本発明は、店舗などにおいて利用客に一時的に貸し出されるカートの盗難を防止する技術に関する。
【背景技術】
【０００２】
店舗において、利用客は、購入予定の商品の持ち運びを容易にするため、カートを利用することができる。カートは店舗の所有物であるため、無暗に持ち出されないようにするための工夫が望まれる。
【０００３】
例えば、下記特許文献１には、店舗で利用されるカートの盗難を防止する仕組みの一例が開示されている。具体的には、店内または店舗の外側の領域でカートの位置を追跡し、例えば、当該カートが店舗の敷地を出ている場合に当該カートの位置を店舗の管理者に警告する手法が下記特許文献１に開示されている。
【先行技術文献】
【特許文献】
【０００４】
【特許文献１】特開２０１３−１２７８１０号公報
【発明の概要】
【発明が解決しようとする課題】
【０００５】
しかしながら、特許文献１に記載の手法では、カートの盗難の兆候を事前に検出していないため、カートの盗難を未然に防ぐことができない可能性がある。例えば、店舗の敷地を出た後に店舗の管理者に警告をしたとしても、カートを持ち去った人物に追いつくことができない可能性もある。
【０００６】
本発明は上述の課題に鑑みてなされたものであり、その目的は、カートの盗難を未然に防ぐことを可能とする技術を提供することにある。
【課題を解決するための手段】
【０００７】
本発明によれば、
カートに取り付けられる防犯装置であって、
基準面に対する前記カートの角度を検出する角度検出手段と、
前記角度検出手段が検出した角度が所定の基準を満たすときに警告処理を行う警告手段と、を有する防犯装置が提供される。
【０００８】
本発明によれば、
上述の防犯装置を有するカートが提供される。
【０００９】
本発明によれば、
カートに取り付けられる防犯装置を用いて実行される当該カートの盗難防止方法であって、
前記防犯装置が、
基準面に対する前記カートの角度を検出し、
前記検出された角度が所定の基準を満たすときに警告処理を行う、
ことを含むカートの盗難防止方法が提供される。
【００１０】
本発明によれば、
カートに取り付けられる防犯装置に当該カートの盗難防止方法を実行させるためのプログラムであって、
前記防犯装置を、
基準面に対する前記カートの角度を検出する角度検出手段、及び、
前記角度検出手段が検出した角度が所定の基準を満たすときに警告処理を行う警告手段、
として機能させるためのプログラムが提供される。
【発明の効果】
【００１１】
本発明によれば、カートの盗難を未然に防ぐことための技術が提供される。
【図面の簡単な説明】
【００１２】
【図１】第１実施形態に係る防犯装置の機能構成を概念的に示すブロック図である。
【図２】警告部が警告処理を行う条件の一例を説明するための図である。
【図３】防犯装置の取り付け例を示す図である。
【図４】第１実施形態に係る防犯装置のハードウエア構成を概念的に示すブロック図である。
【図５】防犯装置の処理の流れの一例を示すフローチャートである。
【図６】第３実施形態に係る防犯装置の機能構成を概念的に示すブロック図である。
【図７】第３実施形態の防犯装置のハードウエア構成を概念的に示すブロック図である。
【図８】防犯装置の処理の流れの一例を示すフローチャートである。
【発明を実施するための形態】
【００１３】
以下、本発明の実施の形態について、図面を用いて説明する。尚、すべての図面において、同様な構成要素には同様の符号を付し、適宜説明を省略する。また各図において、特に説明がない限り、図中に示されるブロックは、ハードウエア単位の構成ではなく機能単位の構成を表している。
【００１４】
［第１実施形態］
〔機能構成〕
図１は、第１実施形態に係る防犯装置１０の機能構成を概念的に示すブロック図である。防犯装置１０は、店舗で一時的に貸し出されるカートに取り付けられる装置である。図１に示されるように、本実施形態の防犯装置１０は、角度検出部１１０と警告部１２０とを有する。角度検出部１１０は、傾斜センサや回転センサを含んで構成されており、基準面（例えば、地面などの水平面）に対するカートの角度を検出する。警告部１２０は、角度検出部１１０が検出した角度が所定の基準を満たすときに、所定の警告処理を行う。
【００１５】
警告部１２０が警告処理を行う条件である"所定の基準"について、図２を用いて説明する。図２は、警告部１２０が警告処理を行う条件の一例を説明するための図である。図２では、カート２０が地面（基準面）に対して水平である場合に、角度検出部１１０により検出される角度が０°となるように、角度検出部１１０がカート２０に取り付けられる例を示す。図２における所定の基準は、"角度検出部１１０により検出される角度の絶対値が角度Ａ（例えば、４５°など）以上"である。具体的には、角度検出部１１０が図中矢印で示す範囲の角度を検出した場合、警告部１２０は、所定の基準を満たすと判断する。但し、図２はあくまで一例であり、角度検出部１１０を取り付ける位置や向きに応じて、所定の基準を定めることができる。
【００１６】
防犯装置１０の取り付け例について図３を用いて説明する。図３は、防犯装置１０の取り付け例を示す図である。図３の例では、防犯装置１０は、カート２０の持ち手付近に取り付けられている。但し、防犯装置１０を取り付ける位置は図３の例に制限されない。防犯装置１０は、カート２０の任意の場所に取り付けることができる。
【００１７】
なお、上述の各図では、角度検出部１１０と警告部１２０が１つの装置に集約されている例が示されているが、これらの処理部は別々の装置に分けて設けられていてもよい。例えば、角度検出部１１０を有する第１の装置がカート２０の持ち手付近に取り付けられ、警告部１２０を有する第２の装置がカート２０のフレームの前方部に取り付けられてもよい。この場合、角度検出部１１０を有する第１の装置及び警告部１２０を有する第２の装置は、無線または有線によって通信可能に接続される。
【００１８】
〔作用・効果〕
カート２０が使用されている場合、通常、地面（基準面）に対するカート２０の角度は略直角となるはずである。つまり、基準面に対するカート２０の角度が所定の基準の角度以上となった場合、そのカート２０を利用している顧客が異常な動作（例えば、車両に積み込むためにカート２０を横倒しにする、といった盗難の兆候が伺える動作）を行っている可能性がある。そこで、本実施形態の防犯装置１０は、カート２０の基準面に対する角度（傾き度合）を検出し、当該カート２０の角度が所定の基準以上である場合に警告処理を行う。つまり、本実施形態の防犯装置１０は、カート２０に対する盗難の兆候が伺える動作を検出して警告処理を行う。これにより、カート２０の盗難を未然に防ぐことができる。
【００１９】
［第２実施形態］
本実施形態では、第１実施形態の防犯装置１０をより具体的に説明する。
【００２０】
〔ハードウエア構成〕
図４は、第１実施形態に係る防犯装置１０のハードウエア構成を概念的に示すブロック図である。なお、防犯装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。図４では、防犯装置１０の各機能構成部がハードウエアとソフトウエアとの組み合わせで実現される場合について説明する。
【００２１】
防犯装置１０は、バス１０１、プロセッサ１０２、メモリ１０３、ストレージデバイス１０４、入出力インタフェース１０５、及び、通信インタフェース１０６を有する。バス１０１は、データを送受信するためのデータ伝送路である。プロセッサ１０２、メモリ１０３、ストレージデバイス１０４、入出力インタフェース１０５、及び通信インタフェース１０６は、バス１０１を介して相互にデータを送受信する。但し、プロセッサ１０２などを互いに接続する方法は、バス接続に限定されない。
【００２２】
プロセッサ１０２は、ＣＰＵ（Central Processing Unit）やＧＰＵ（Graphics Processing Unit）などの演算処理装置である。メモリ１０３は、ＲＡＭ（Random Access Memory）やＲＯＭ（Read Only Memory）などのメモリである。ストレージデバイス１０４は、ＨＤＤ（Hard Disk Drive）、ＳＳＤ（Solid State Drive）、又はメモリカードなどの記憶装置である。また、ストレージデバイス１０４は、ＲＡＭやＲＯＭなどのメモリであってもよい。メモリ１０３やストレージデバイス１０４には、角度検出部１１０の機能または警告部１２０の機能をそれぞれ実現するためのプログラムモジュールが記憶される。
【００２３】
入出力インタフェース１０５は、防犯装置１０と入出力デバイスとを接続するためのインタフェースである。入出力インタフェース１０５には、ジャイロセンサ１０５１及びスピーカー１０５２が接続される。プロセッサ１０２が、メモリ１０３やストレージデバイス１０４に記憶される角度検出部１１０のプログラムモジュールを実行して、ジャイロセンサ１０５１により生成された信号（カート２０の傾きを示す信号）を取得することにより、角度検出部１１０の機能が実現される。また、プロセッサ１０２が、メモリ１０３やストレージデバイス１０４に記憶される警告部１２０のプログラムモジュールを実行して、ジャイロセンサ１０５１から取得したカート２０の傾きを示す信号に基づいてスピーカー１０５２から所定の警告音を出力させることにより、警告部１２０の機能が実現される。
【００２４】
通信インタフェース１０６は、防犯装置１０と外部装置（例えば、店舗の従業員用に設けられる据え置き型の端末や携帯型の端末など）とを、各種ネットワークを介して接続することができる。通信インタフェース１０６の通信方式は、特に限定されない。店舗の従業員用に設けられる据え置き型の端末や携帯型の端末など（以下、"従業員用端末"とも表記）と防犯装置１０が通信する場合、従業員用端末と防犯装置１０は無線ネットワークによって接続される。また、角度検出部１１０と警告部１２０とが別々の装置に分けて設けられる場合、これらの装置は有線で接続される。また、通信インタフェース１０６が、近距離無線通信規格をサポートしている場合、これらの装置は、近距離無線通信によって接続されてもよい。
【００２５】
なお、防犯装置１０のハードウエア構成は図４に示した構成に限定されない。例えば、カート２０の角度を検出するセンサは、ジャイロセンサ１０５１に限定されない。また例えば、キーボードなどの入力装置、ＬＣＤ（Liquid Crystal Display）などの表示装置、これらの入力装置と表示装置が一体化したタッチパネルなどが、入出力インタフェース１０５に接続されてもよい。防犯装置１０が表示装置を備える場合、警告部１２０は、当該表示装置に対する警告メッセージの出力を、警告処理の１つとして実行してもよい。
【００２６】
〔動作例〕
図５を用いて、防犯装置１０の動作例を説明する。図５は、防犯装置１０の処理の流れの一例を示すフローチャートである。
【００２７】
角度検出部１１０は、例えば、傾斜センサまたは回転センサなどを用いて、基準面に対するカート２０の角度を検出する（Ｓ１０２）。角度検出部１１０により検出されたカート２０の角度は、警告部１２０に送られる。
【００２８】
警告部１２０は、角度検出部１１０によって検出されたカート２０の角度と、所定の基準角度とを比較する（Ｓ１０４）。所定の基準角度は、例えば、ストレージデバイス１０４や、警告部１２０の機能を実現するプログラムモジュールにおいて、予め定義されている。
【００２９】
角度検出部１１０により検出されたカート２０の角度が所定の基準角度以上である場合（Ｓ１０４：ＹＥＳ）、警告部１２０は所定の警告処理を実行する（Ｓ１０６）。例えば、警告部１２０は、スピーカー１０５２を介して所定の警告音（例えば、ブザー音や警告音声など）を出力する。また例えば、警告部１２０は、通信インタフェース１０６を介して、カート２０の盗難の可能性を警告する通知を店舗の従業員（例えば、警備員）用の端末に対して出力してもよい。また、警告部１２０は、警告音の出力とカート２０の盗難の可能性を警告する通知の出力の双方を行ってもよいし、少なくともいずれか一方を行ってもよい。
【００３０】
一方、角度検出部１１０により検出されたカート２０の角度が所定の基準角度未満である場合（Ｓ１０４：ＮＯ）、上述の処理は実行されない。この場合、防犯装置１０は、カート２０の角度が所定の基準角度以上となったか否かを監視する処理を継続する。
【００３１】
〔作用・効果〕
以上、本実施形態では、基準面に対するカート２０の角度が所定の基準角度以上となった場合に、警告音の出力、および、カート２０の盗難の可能性を警告する通知の出力の少なくとも一方が、警告部１２０により実行される。警告音を出力することで、当該警告音が出力されている場所に周囲の人物の視線を集めることができる。そして、悪事を働こうとする人物は、通常、周囲の人物の視線が集まることを嫌う。そのため、警告部１２０から警告音を出力することにより、そのような人物にカート２０の盗難をあきらめさせる効果が見込める。また、カート２０の盗難の可能性に関する通知により、店舗の従業員は、怪しい人物が存在する可能性に気付くことができる。つまり、カート２０を盗難しようとしている人物に対する店舗の従業員の警戒度合を引き上げて、カート２０の盗難を未然に防止する体制を構築する効果が期待できる。
【００３２】
［第３実施形態］
カート２０の利用者が、盗難の目的ではなく、単に操作を誤ってカート２０を傾けてしまう可能性もある。この場合に警告音を出力すると、その利用客を困惑させてしまう。そこで本実施形態の防犯装置１０は、このような問題が発生することを回避する構成を更に備える。
【００３３】
〔機能構成〕
図６は、第３実施形態に係る防犯装置１０の機能構成を概念的に示すブロック図である。本実施形態の防犯装置１０は、図１に示される構成に加え、位置情報取得部１３０を更に有する。
【００３４】
位置情報取得部１３０は、カート２０の位置情報を取得する。本実施形態の警告部１２０は、角度検出部１１０が検出した角度が所定の基準以上であり、かつ、位置情報取得部１３０が取得した位置情報が予め定められた処理対象エリアに対応する場合に、警告処理を行う。
【００３５】
処理対象エリアは、基準面に対するカート２０の角度が所定の基準角度以上となった場合に、カート２０の盗難の可能性が高いと推測されるエリアとして設定される。具体的には、処理対象エリアは店舗の駐車場エリアなどである。この処理対象エリアは、メモリ１０３やストレージデバイス１０４に記憶されていてもよいし、警告部１２０の機能を実現するプログラムモジュールにおいて定義されていてもよい。
【００３６】
また、本実施形態の警告部１２０は、カート２０の角度が所定の閾値以上である状態を、角度検出部１１０が所定時間以上継続して検出した場合に、警告処理を行うように構成されていてもよい。なお、所定時間は、任意の時間（例えば、３０秒など）に設定できる。この所定時間は、メモリ１０３やストレージデバイス１０４に記憶されていてもよいし、警告部１２０の機能を実現するプログラムモジュールにおいて定義されていてもよい。
【００３７】
〔ハードウエア構成〕
図７は、第３実施形態の防犯装置１０のハードウエア構成を概念的に示すブロック図である。第３実施形態の防犯装置１０のハードウエア構成は、以下の点を除き、図４のハードウエア構成と同様である。
【００３８】
本実施形態では、図７に示されるように、ＧＰＳモジュール１０５３が入出力インタフェース１０５に更に接続される。また、本実施形態のメモリ１０３またはストレージデバイス１０４には、位置情報取得部１３０の機能を実現するためのプログラムモジュールが更に記憶されている。プロセッサ１０２が、メモリ１０３やストレージデバイス１０４に記憶される位置情報取得部１３０のプログラムモジュールを実行して、ＧＰＳモジュール１０５３により生成された信号（カート２０の位置を示す信号）を取得することにより、位置情報取得部１３０の機能が実現される。
【００３９】
なお、防犯装置１０のハードウエア構成は図４に示した構成に限定されない。例えば、位置情報取得部１３０の機能は、通信インタフェース１０６を介した近距離無線通信によって実現することもできる。
【００４０】
具体的には、通信インタフェース１０６が近距離無線通信規格をサポートしている場合、各エリアに設置される無線局の識別情報と当該エリアを示す情報とを紐付けて格納するテーブルなどを用意しておけば、通信インタフェース１０６を介して通信を確立した無線局の識別情報を用いて、カート２０の大まかな位置を把握することができる。この場合、防犯装置１０は、ＧＰＳモジュール１０５３を備えていなくてもよい。また、近距離無線通信を利用する場合、例えば、店舗の商品売場のエリアと駐車場のエリアが平面で重なっている場合（例えば、駐車場が建物の地下に存在する場合など）であっても、カート２０がどこにあるかを正確に把握することができる。
【００４１】
〔動作例〕
図８を用いて、防犯装置１０の動作例を説明する。図８は、防犯装置１０の処理の流れの一例を示すフローチャートである。
【００４２】
角度検出部１１０は、例えば、傾斜センサまたは回転センサなどを用いて、基準面に対するカート２０の角度を検出する（Ｓ２０２）。角度検出部１１０により検出されたカート２０の角度は、警告部１２０に送られる。
【００４３】
また、位置情報取得部１３０は、ＧＰＳモジュール１０５３や通信インタフェース１０６による近距離無線通信などを利用して、カート２０の位置情報を取得する（Ｓ２０４）。位置情報取得部１３０により取得されたカート２０の位置情報は、警告部１２０に送られる。なお、Ｓ２０２の処理とＳ２０４の処理は、順序が逆であってもよいし、並列に実行されてもよい。
【００４４】
警告部１２０は、位置情報取得部１３０により取得されたカート２０の位置情報が処理対象エリアに対応するか否かを判定する（Ｓ２０６）。具体的には、警告部１２０は、カート２０の位置情報により示される位置が、処理対象エリアに含まれているか否かを判定する。処理対象エリアは、例えば、当該エリアを形成する少なくとも３つの地点の位置情報を含み、メモリ１０３やストレージデバイス１０４などに記憶されている。
【００４５】
位置情報取得部１３０により取得されたカート２０の位置情報が処理対象エリアに対応する場合（Ｓ２０６：ＹＥＳ）、警告部１２０は、更に、角度検出部１１０によって検出されたカート２０の角度と、所定の基準角度とを比較する（Ｓ２０８）。所定の基準角度は、例えば、ストレージデバイス１０４や、警告部１２０の機能を実現するプログラムモジュールにおいて、予め定義されている。
【００４６】
角度検出部１１０により検出されたカート２０の角度が所定の基準角度以上である場合（Ｓ２０８：ＹＥＳ）、警告部１２０は所定の警告処理を実行する（Ｓ２１０）。例えば、警告部１２０は、スピーカー１０５２を介して所定の警告音（例えば、ブザー音や警告音声など）を出力する。また例えば、警告部１２０は、通信インタフェース１０６を介して、カート２０の盗難の可能性を警告する通知を店舗の従業員（例えば、警備員）用の端末に対して出力してもよい。また、警告部１２０は、警告音の出力とカート２０の盗難の可能性を警告する通知の出力の双方を行ってもよいし、少なくともいずれか一方を行ってもよい。また、警告部１２０は、角度検出部１１０により検出されたカート２０の角度が所定の基準角度以上である状態が所定時間以上継続した場合に、これらの警告処理を実行してもよい。
【００４７】
一方、位置情報取得部１３０により取得されたカート２０の位置情報が処理対象エリアに対応する場合（Ｓ２０６：ＮＯ）、或いは、角度検出部１１０により検出されたカート２０の角度が所定の基準角度未満である場合（Ｓ２０８：ＮＯ）、上述の処理は実行されない。この場合、防犯装置１０は、カート２０の角度が所定の基準角度以上となったか否かを監視する処理を継続する。なお、このフローチャートにおいて、Ｓ２０６の判定とＳ２０８の判定の順番が入れ替わっていてもよい。
【００４８】
〔作用・効果〕
以上、本実施形態では、水平面に対するカート２０の角度が所定の基準角度以上である状態が所定時間以上継続して検出された場合に、所定の警告処理が実行される。これにより、例えば、カート２０の利用者が操作を誤ってそのカート２０を偶然倒してしまった、といったカート２０の盗難の可能性がない場合に、警告処理が行われないように制御することができる。これにより、カート２０の盗難の可能性がない場合に誤って警告処理を行って、カート２０の利用者を困惑させてしまうことを抑制できる。
【００４９】
また、本実施形態では、カート２０の位置情報を更に取得し、当該カート２０の位置が処理対象エリアであって、かつ、水平面に対するカート２０の角度が所定の基準角度以上となった場合に、所定の警告処理が実行される。例えば、水平面に対するカート２０の角度が所定の基準以上の角度となった場所が、店舗の商品売場となどであれば、カート２０を持ち去る手段がないため、カート２０が盗難される可能性は低い。一方で、水平面に対するカート２０の角度が所定の基準以上の角度となった場所が、駐車場などであれば、カート２０を持ち去る手段（車両）が存在するため、カート２０が盗難される可能性がある。本実施形態では、このような駐車場を含むカート２０が盗難される可能性があるエリアを処理対象エリアとして設定する。これにより、カート２０の盗難の可能性がない場合に誤って警告処理を行い、カート２０の利用者を困惑させてしまうことを抑制できる。
【００５０】
以上、図面を参照して本発明の実施形態について述べたが、これらは本発明の例示であり、上記以外の様々な構成を採用することもできる。
【００５１】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００５２】
以下、参考形態の例を付記する。
１．
カートに取り付けられる防犯装置であって、
基準面に対する前記カートの角度を検出する角度検出手段と、
前記角度検出手段が検出した角度が所定の基準を満たすときに警告処理を行う警告手段と、を有する防犯装置。
２．
前記警告手段は、警告音の出力、または、従業員用の端末に対する通知の出力の少なくともいずれか一方の処理を、前記警告処理として行う、
１．に記載の防犯装置。
３．
前記警告手段は、前記角度検出手段が、前記カートの角度が所定の基準を満たす状態を所定時間以上継続して検出した場合に、前記警告処理を行う、
１．または２．に記載の防犯装置。
４．
前記防犯装置は、前記カートの位置情報を取得する位置情報取得手段を更に有し、
前記警告手段は、前記角度検出手段が検出した角度が所定の基準を満たし、かつ、前記位置情報取得手段が取得した位置情報が予め定められた処理対象エリアに対応する場合に、前記警告処理を行う、
１．から３．のいずれか１つに記載の防犯装置。
５．
前記処理対象エリアは店舗の駐車場を含む、
４．に記載の防犯装置。
６．
１．から５．のいずれか１つに記載の防犯装置を有するカート。
７．
カートに取り付けられる防犯装置を用いて実行される当該カートの盗難防止方法であって、
前記防犯装置が、
基準面に対する前記カートの角度を検出し、
前記検出された角度が所定の基準を満たすときに警告処理を行う、
ことを含むカートの盗難防止方法。
８．
前記防犯装置が、警告音の出力、または、従業員用の端末に対する通知の出力の少なくともいずれか一方の処理を、前記警告処理として行う、
ことを更に含む７．に記載のカートの盗難防止方法。
９．
前記防犯装置が、前記カートの角度が所定の基準を満たす状態を所定時間以上継続して検出した場合に、前記警告処理を行う、
ことを更に含む７．または８．に記載のカートの盗難防止方法。
１０．
前記防犯装置が、
前記カートの位置情報を取得し、
前記角度検出手段が検出した角度が所定の基準を満たし、かつ、前記取得した位置情報が予め定められた処理対象エリアに対応する場合に、前記警告処理を行う、
ことを含む７．から９．のいずれか１つに記載のカートの盗難防止方法。
１１．
前記処理対象エリアは店舗の駐車場を含む、
１０．に記載のカートの盗難防止方法。
１２．
カートに取り付けられる防犯装置に当該カートの盗難防止方法を実行させるためのプログラムであって、
前記防犯装置を、
基準面に対する前記カートの角度を検出する角度検出手段、及び、
前記角度検出手段が検出した角度が所定の基準を満たすときに警告処理を行う警告手段、
として機能させるためのプログラム。
１３．
前記防犯装置を、警告音の出力、または、従業員用の端末に対する通知の出力の少なくともいずれか一方の処理を、前記警告処理として行う手段、
として更に機能させるための１２．に記載のプログラム。
１４．
前記防犯装置を、前記カートの角度が所定の基準を満たす状態を所定時間以上継続して検出した場合に、前記警告処理を行う手段、
として機能させるための１２．または１３．に記載のプログラム。
１５．
前記防犯装置を、
前記カートの位置情報を取得し、
前記角度検出手段が検出した角度が所定の基準を満たし、かつ、前記位置情報取得手段が取得した位置情報が予め定められた処理対象エリアに対応する場合に、前記警告処理を行う手段、
として更に機能させるための１２．から１４．のいずれか１つに記載のプログラム。
１６．
前記処理対象エリアは店舗の駐車場を含む、
１５．に記載のプログラム。
【符号の説明】
【００５３】
１０  防犯装置
１０１  バス
１０２  プロセッサ
１０３  メモリ
１０４  ストレージデバイス
１０５  入出力インタフェース
１０５１  ジャイロセンサ
１０５２  スピーカー
１０５３  ＧＰＳモジュール
１０６  通信インタフェース
１１０  角度検出部
１２０  警告部
１３０  位置情報取得部
２０  カート
【図１】
2018041196.tif 000003
【図２】
2018041196.tif 000004
【図３】
2018041196.tif 000005
【図４】
2018041196.tif 000006
【図５】
2018041196.tif 000007
【図６】
2018041196.tif 000008
【図７】
2018041196.tif 000009
【図８】
2018041196.tif 000010